(57)【要約】【課題】室内の改装時や模様替え時に対応して、カバーの外観形態や模様を容易に変更でき、且つ照射面積の広い照明器具を提供する。【解決手段】照明器具は、略中央に開口部を穿設した器具本体１と、器具本体１の開口部を挿通したソケット２と、ソケット２の先端に装着されたランプ３と、ランプ３の後方から延長してランプ３の前面側を覆うカバー５と、カバー５を挟持して器具本体１に固定する挟持部２０とから構成され、器具本体１は、中央片１ａ、中央片１ａの両側を略垂直に折曲した側片１ｂ，１ｃからなる断面コの字形状に形成されており、中央片１ａと側片１ｂ，１ｃとの外側折曲部付近を軸として側片１ｂ，１ｃに対して回動可能な木製の枠体４が取り付けられている。断面略Ｃ型に形成されたカバー５は、その両側端部が側片１ｂ，１ｃと枠体４，４との各間に着脱自在に挟持されることで、器具本体１に保持されている。【選択図】　　　　図１
2004030987.tif 000002
【特許請求の範囲】
【請求項１】
器具本体と、器具本体の前面側に配設されるランプと、前記ランプの後方から延長して前面側を覆うカバーと、前記ランプの後方にある前記カバーの周縁部の少なくとも一部を着脱自在に挟持して前記カバーを前記器具本体に取り付ける挟持部とを備えることを特徴とする照明器具。
【請求項２】
前記カバーは器具本体の互いに対向する辺部から延長して前記ランプの前面を覆っており、前記挟持部は、前記器具本体の互いに対向する辺部に対して回動自在な構造体を備えて、前記構造体と前記器具本体の辺部とが閉じることによって前記カバーの周縁部を挟持することを特徴する請求項１記載の照明器具。
【請求項３】
前記構造体と前記器具本体の辺部とのうちいずれか一方の前記カバーを挟持する面に突起を備え、他方には前記構造体と前記器具本体の辺部とが閉じた時に前記突起が挿通する挿通孔を備え、前記カバーは前記挟持部で挟持される時に前記突起が貫通する貫通孔を備えることを特徴する請求項２記載の照明器具。
【発明の詳細な説明】
【０００１】
【発明の属する技術分野】
本発明は、カバーの外観形態や模様を変更自在にした天井付け型、吊り下げ型、壁付け型、床置き型等のカバー付照明器具に関するものである。
【０００２】
【従来の技術】
従来、天井付け型、吊り下げ型、壁付け型、床置き型等の照明器具は、ランプをカバーで覆って、ランプを保護したり、カバーの光透過性の調整によってランプイメージを調節するように構成されている。カバー付の照明器具には、カバーに着色を施したり、模様を印刷したり、凹凸を付加したりして器具全体の意匠性をさらに向上させるようにしたものが多く提供されている。これらのカバーは、照明器具の主要な外観部材であり、その外観形状や模様によって照明器具全体の外観を左右する重要な役割を果たしている。一般にカバーは一体形成されたものを器具本体や天板に取り付けて使用されるのが普通である。
【０００３】
そして、一旦設置された照明器具は、その寿命、または改装工事等で廃棄されるまでは、そのまま継続して使用されることが多い。例えば設置場所の改装時や、室内の模様替え時に併せて、カバーの外観形状や模様を変更したい時は、新たな照明器具と一式交換しているのが普通である。
【０００４】
また、照明器具の製造工場や販売店における顧客への対応としては、照明器具の設置場所の内装に合わせた好適な外観形状や模様を施したカバーを選択して使用できるように、予め外観形状や模様の異なる複数種類のカバーを用意しておき、顧客の要求に応じてその中から好適なデザインのカバーを選択し、装着して供給しているのが実情である。
【０００５】
【発明が解決しようとする課題】
このように、従来の照明器具は、カバーが器具本体と一体的にセットで販売されているため、顧客側としては設置場所の内装変更時や模様替え時に併せてカバーの外観形状や模様を変更しようとしても、照明器具一式を交換しなければならないので、器具本体が継続して使用可能な場合でもやむを得ずもともと使用していた照明器具廃棄処分にしたり、照明器具一式を保管したりしなければならず、経済的な負担が大きくなったり、保管スペースの確保が必要になるという問題があった。
【０００６】
さらには、カバーを器具本体に取り付けるための取付手段がねじ留めであるものはカバーの脱着が面倒であり、また取付手段がランプよりも前面にあるものは取り付け手段の影が形成されて照射面積が狭くなるという問題があった。
【０００７】
本発明は、上記事由に鑑みてなされたものであり、その目的は、室内の改装時や模様替え時に対応して、カバーの外観形態や模様を容易に変更でき、且つ照射面積の広い照明器具を提供することにある。
【０００８】
【課題を解決するための手段】
請求項１の発明は、器具本体と、器具本体の前面側に配設されるランプと、前記ランプの後方から延長して前面側を覆うカバーと、前記ランプの後方にある前記カバーの周縁部の少なくとも一部を着脱自在に挟持して前記カバーを前記器具本体に取り付ける挟持部とを備えることを特徴とする。
【０００９】
請求項２の発明は、請求項１において、前記カバーは器具本体の互いに対向する辺部から延長して前記ランプの前面を覆っており、前記挟持部は、前記器具本体の互いに対向する辺部に対して回動自在な構造体を備えて、前記構造体と前記器具本体の辺部とが閉じることによって前記カバーの周縁部を挟持することを特徴する。
【００１０】
請求項３の発明は、請求項２において、前記構造体と前記器具本体の辺部とのうちいずれか一方の前記カバーを挟持する面に突起を備え、他方には前記構造体と前記器具本体の辺部とが閉じた時に前記突起が挿通する挿通孔を備え、前記カバーは前記挟持部で挟持される時に前記突起が貫通する貫通孔を備えることを特徴する。
【００１１】
【発明の実施の形態】
以下、本発明の実施の形態を図面に基づいて説明する。
【００１２】
（実施形態１）
本実施形態の照明器具の構成を図１に示す。照明器具は、略中央に開口部を穿設した器具本体１と、器具本体１の開口部を後面側から前面側に挿通したソケット２と、ソケット２の先端に装着されたランプ３と、ランプ３の後方から延長してランプ３の前面側を覆うカバー５と、カバー５を挟持して器具本体１に固定する挟持部２０とから構成される。
【００１３】
器具本体１は、中央片１ａ、中央片１ａの両側を略垂直に折曲して互いに対向した側片１ｂ，１ｃからなる断面コの字形状に形成されており、中央片１ａと側片１ｂ，１ｃとの折曲部付近を軸として側片１ｂ，１ｃに対して回動可能な木製の枠体４が側片１ｂ，１ｃの外側に取り付けられている。そして、断面略Ｃ型に形成されたカバー５は、その両側端部が側片１ｂ，１ｃと枠体４とにより挟持されることで、器具本体１に保持されている。
【００１４】
次に、図２〜４を用いてこの挟持部２０について説明する。まず、側片１ｂ，１ｃの外側、後方には筒部８が形成されて、棒体を矩形状に成形したシャフト６が筒部８を挿通しており、シャフト６は筒部８の挿通した側を軸として側片１ｂ，１ｃに対して回動自在となっている。そして、シャフト６の一方の長辺にはバネ７が巻回しており、ばね７の一端７ａは側片１ｂ，１ｃの面上に沿って突出しており、ばね７の他端７ｂはカシメによってシャフト６と固定されている。バネ７はシャフト６と側片１ｂ，１ｃとが互いに引き合うようにテンションをかけた状態で巻回されており、通常、シャフト６は側片１ｂ，１ｃに押し付けられる方向にテンションがかかって係止している。また、函体形状の枠体４は１面に開口部４ａを形成して、開口部４ａにシャフト６を挿通させることで、枠体４をシャフト６に被せており、枠体４はシャフト６と共に側片１ｂ，１ｃに対して回動自在となる。このように、側片１ｂ，１ｃ、枠体４、シャフト６、ばね７、筒部８から構成される挟持部２０は、側片１ｂ，１ｃと側片１ｂ，１ｃに対して回動自在に開閉するシャフト６，６に被せた枠体４，４とが、ばね７のテンションによる保持力によってカバー５の両側端部を挟持して、カバー５を保持しており、挟持部２０を開閉することで器具本体１とカバー５とは着脱自在となっている。
【００１５】
本実施形態では、上記構成の挟持部２０によってカバー５を器具本体１にねじ留めする必要はなく、簡単な構成でカバー５を器具本体１に着脱自在に取り付けることができる。さらに、この挟持部２０はランプ３より後方に設けられているので、ランプ３の前面側には挟持部２０の影は形成されず、照明器具として照射面積が広く、使い勝手のよいものとなっている。
【００１６】
なお、カバー５は、投光性を有する材質を用いており、例えばアクリル樹脂、ポリスチレン樹脂等の熱可塑性樹脂や、アクリル樹脂をベースとした不繊布等が一般的であり、照明器具の形態に応じてこれらの樹脂を真空成形、圧空成形、射出成形、プレス成形等の成形方法を用いて所望の形状に成形したり、あるいは板状のまま使用する。その形状は図１に示す平面状のものを曲げて断面略Ｃ型形状のものだけでなく、照明器具の形状に応じて、平面タイプ、曲面形状に成形された曲面タイプ等、形状は任意のものを用いることができ、さらには絵柄部、着色部、プリズム部等を形成することもできる。絵柄を形成したり、着色を施す場合は、基材となる樹脂に染料や顔料等を添加して成形してもよいし、染料や顔料等を含むインク、トナー、塗料系のもので基材表面に印刷や塗装を行ってもよい。印刷は、シルクスクリーン法、グラビア印刷したフィルムを転写する方法、電写真方式による転写紙を介したトナーを転写する方法、インクジェット法、シールの貼り付け等のいずれを用いてもよく、その方法は特に限定されるものではない。
【００１７】
また、本実施形態において枠体４は木製のものを用いているが、プラスチック、金属等でもよく、その材質は特に限定されるものではない。
【００１８】
さらに、本実施形態において挟持部２０は器具本体１の両側端部（器具本体１の左右方向）に設けているが、器具本体１の上下方向の端部に設けてもよく、その数も１つでも、複数でもよい。
【００１９】
なお、本実施形態の照明器具は、カバー５を付加するもの、あるいはカバー５を交換するもののいずれのタイプであってもよい。
【００２０】
（実施形態２）
本実施形態の照明器具の構成は図５に示され、実施形態１を示す図１とは挟持部２０の構成が異なり、他の構成は同様なもので、実施形態１と同様の構成には同一の符号を付して説明は省略する。
【００２１】
本実施形態の挟持部２０は、基本的な構成は実施形態１と同様であるが、器具本体１の側片１ｂ，１ｃに挿通孔１０が各々１個づつ穿設されており、枠体４，４には、ばね７のテンションによって側片１ｂ，１ｃに係止した時、すなわち側片１ｂ，１ｃに対して閉状態になったときに挿通孔１０に挿通する突起部９が形成されて、さらに、カバー５の両側端部には、挟持部２０によって挟持されたときに突起部９が貫通する貫通孔１１が穿設されている点が異なる。このように、挟持時にカバー５の貫通孔１１に枠体４の突起部９が貫通することで、カバー５の位置決め、及び落下防止になり、挟持部２０によるカバー５の保持の長期安定性の強化を図っており、さらに器具本体１の挿通孔１０に枠体４の突起部９が挿通することで、挟持部２０の保持力を実施形態１と同程度に維持することができる。
【００２２】
また、この突起部９を器具本体１に形成し、挿通孔１０を枠体４に形成しても同様の効果を得ることができる。
【００２３】
なお、図６に示すように器具本体１上に先端を球状に形成した棒状のスペーサ１３を立設し、平面タイプのカバー１２の４隅に設けた嵌合孔１４に、スペーサ１３の球状の先端を挿通して嵌合させることにより、カバー１２を器具本体１に取り付けることができるが、スペーサ１３がランプ３より前方に突出しているので、ランプ３の前面側にスペーサ１３の影が形成されて照射面積が減少してしまうという欠点があり、その点が実施形態１，２とは異なる点である。
【００２４】
【発明の効果】
請求項１の発明は、器具本体と、器具本体の前面側に配設されるランプと、前記ランプの後方から延長して前面側を覆うカバーと、前記ランプの後方にある前記カバーの周縁部の少なくとも一部を着脱自在に挟持して前記カバーを前記器具本体に取り付ける挟持部とを備えるので、カバーは後方で挟持されて器具本体に取り付けられるので、カバーを器具本体から着脱してカバーの外観形態や模様を容易に変更でき、且つランプの前面側には挟持部の影は形成されず、照明器具として照射面積が広く、使い勝手のよいものができるという効果がある。
【００２５】
請求項２の発明は、請求項１において、前記カバーは器具本体の互いに対向する辺部から延長して前記ランプの前面を覆っており、前記挟持部は、前記器具本体の互いに対向する辺部に対して回動自在な構造体を備えて、前記構造体と前記器具本体の辺部とが閉じることによって前記カバーの周縁部を挟持するので、簡単な構成でカバーを器具本体に着脱自在に取り付けることができるという効果がある。
【００２６】
請求項３の発明は、請求項２において、前記構造体と前記器具本体の辺部とのうちいずれか一方の前記カバーを挟持する面に突起を備え、他方には前記構造体と前記器具本体の辺部とが閉じた時に前記突起が挿通する挿通孔を備え、前記カバーは前記挟持部で挟持される時に前記突起が貫通する貫通孔を備えるので、カバーの位置決め、及び落下防止になり、挟持部によるカバーの保持の長期安定性の強化を図ることができるという効果がある。
【図面の簡単な説明】
【図１】本発明の実施形態１の照明器具の構成を示す図である。
【図２】同上の挟持部の構成（枠体は省略）を示す図である。
【図３】同上の挟持部の枠体をシャフトに被せる構成を示す図である。
【図４】図２のＡ部分の拡大図である。
【図５】本発明の実施形態２の照明器具の構成を示す図である。
【図６】照明器具の参考構成を示す図である。
【符号の説明】
１　器具本体
１ａ　中央片
１ｂ，１ｃ　側片
２　ソケット
３　ランプ
４　枠体
５　カバー
【図１】
2004030987.tif 000003
【図２】
2004030987.tif 000004
【図３】
2004030987.tif 000005
【図４】
2004030987.tif 000006
【図５】
2004030987.tif 000007
【図６】
2004030987.tif 000008